(57)【要約】【課題】異物の挟み込みによる伸縮装置の動作不良を防止したスクリーンを提供する。【解決手段】可撓性を有する略矩形状のスクリーン基材３と、スクリーン基材３の裏面３２側に設けられ、スクリーン基材３の長さを可変とするように伸縮する伸縮装置と、伸縮装置の伸縮方向における一端側を支持する第１の支持体と、第１の支持体に対向する伸縮装置の他端側を支持する第２の支持体と、第１の支持体に取り付けられ、伸縮方向に延出することで伸縮装置の一部を覆うカバー部材と、を備えるスクリーンに関する。【選択図】図１
2013083746.tif 000002
【特許請求の範囲】
【請求項１】
可撓性を有する略矩形状のスクリーン基材と、
前記スクリーン基材の裏面側に設けられ、当該スクリーン基材の長さを可変とするように伸縮する伸縮装置と、
前記伸縮装置の伸縮方向における一端側を支持する第１の支持体と、
前記第１の支持体に対向する前記伸縮装置の他端側を支持する第２の支持体と、
前記第１の支持体に取り付けられ、前記伸縮方向に延出することで前記伸縮装置の一部を覆うカバー部材と、を備えることを特徴とするスクリーン。
【請求項２】
前記伸縮装置は、前記伸縮方向に沿って伸縮するパンタグラフリンクを有することを特徴とする請求項１に記載のスクリーン。
【請求項３】
前記スクリーン基材の前記伸縮方向における一端側は、前記第１の支持体に支持されることを特徴とする請求項１又は２に記載のスクリーン。
【請求項４】
前記スクリーン基材及び前記伸縮装置を収容する収容ケースを備え、前記第２の支持体は、前記収容ケース内に設けられることを特徴とする請求項１〜３のいずれか一項に記載のスクリーン。
【請求項５】
前記収容ケースは、前記スクリーン基材及び前記伸縮装置を収容する開口を備え、該開口は前記伸縮装置側の開口端が当該伸縮装置に近づく方向に絞られた絞り構造を有することを特徴とする請求項４に記載のスクリーン。
【請求項６】
前記収容ケースは、前記開口を覆う蓋部を有することを特徴とする請求項５に記載のスクリーン。
【請求項７】
前記第２の支持体は、前記スクリーン基材を巻き取る巻取機構を含むことを特徴とする請求項１〜６のいずれか一項に記載のスクリーン。
【発明の詳細な説明】
【技術分野】
【０００１】
本発明は、スクリーンに関するものである。
【背景技術】
【０００２】
従来、プロジェクター等の画像投射装置から入射される画像光を反射して、当該画像光に応じた画像を表示するスクリーンが知られている。このようなスクリーンとして、シート状に形成された可撓性を有するスクリーン基材と、このスクリーン基材を内部に収納する筐体とを備えたものが知られている（例えば、特許文献１参照）。
【０００３】
この特許文献１に記載のスクリーンでは、スクリーン基材（スクリーン布）は、筐体（収容ケース）内の巻取軸により巻き取られて筐体内に収納され、筐体内から外部に主枠が伸長することにより、巻き取られたスクリーン基材が伸長される。より具体的には、スクリーン基材の引出方向先端縁は、上縁桟により支持され、この上縁桟は、主枠を構成する２本の上枠と係合している。また、主枠を構成する２本の下枠は、筐体内に枢止結合されるほか、２本の上枠とそれぞれ回動自在に連結されることで、主枠は略菱形状を有するパンタグラフリンクを構成する。このような主枠を伸長させることにより、スクリーン基材が展張され、主枠を収縮させることにより、スクリーン基材が巻取軸により巻き取られるようになっている。
【先行技術文献】
【特許文献】
【０００４】
【特許文献１】特開２００９−２５３３６号公報
【発明の概要】
【発明が解決しようとする課題】
【０００５】
しかしながら、上記従来技術においては、スクリーン基材を伸長させる伸縮装置であるパンタグラフリンクが外部に露出しているため、該伸縮装置の可動部分にゴミ等の異物が付着することで動作不良を引き起こすおそれがある。
【０００６】
本発明はこのような事情に鑑みてなされたものであって、異物の挟み込みによる伸縮装置の動作不良を防止したスクリーンを提供することを目的とする。
【課題を解決するための手段】
【０００７】
上記の課題を解決するために、本発明のスクリーンは、可撓性を有する略矩形状のスクリーン基材と、前記スクリーン基材の裏面側に設けられ、当該スクリーン基材の長さを可変とするように伸縮する伸縮装置と、前記伸縮装置の伸縮方向における一端側を支持する第１の支持体と、前記第１の支持体に対向する前記伸縮装置の他端側を支持する第２の支持体と、前記第１の支持体に取り付けられ、前記伸縮方向に延出することで前記伸縮装置の一部を覆うカバー部材と、を備えることを特徴とする。
【０００８】
本発明のスクリーンによれば、伸縮装置を縮めることでスクリーンを畳む際、第１の支持体に取り付けられたカバー部材が第２の支持体側に近づくこととなる。このとき、カバー部材は伸縮装置の可動部を覆った状態となるので、ゴミ等の異物が挟み込まれることによる伸縮装置の動作不良の発生を防止することができる。
【０００９】
また、上記スクリーンにおいては、前記伸縮装置は、前記伸縮方向に沿って伸縮するパンタグラフリンクを有するのが好ましい。
この構成によれば、伸縮装置がパンタグラフリンクを有するので、スクリーン基体を良好に伸縮可能な構成を実現できる。
【００１０】
また、上記スクリーンにおいては、前記スクリーン基材の前記伸縮方向における一端側は、前記第１の支持体に支持されるのが好ましい。
この構成によれば、伸縮装置により第１の支持体を第２の支持体に対して移動させることでスクリーン基材を簡便且つ確実に伸縮させることができる。
【００１１】
また、上記スクリーンにおいては、前記スクリーン基材及び前記伸縮装置を収容する収容ケースを備え、前記第２の支持体は、前記収容ケース内に設けられるのが好ましい。
この構成によれば、スクリーン基材及び伸縮装置を収容ケース内に収容できるので、該スクリーン基材及び伸縮装置にゴミ等の異物が付着するのを防止することができる。
【００１２】
また、上記スクリーンにおいては、前記収容ケースは、前記スクリーン基材及び前記伸縮装置を収容する開口を備え、該開口は前記伸縮装置側の開口端が当該伸縮装置に近づく方向に絞られた絞り構造を有するのが好ましい。
この構成によれば、開口が絞り構造を有するので、開口と伸縮装置との隙間を小さくすることができる。よって、開口の隙間から伸縮装置にゴミ等の異物が入り込むのを防止することができる。
【００１３】
また、上記スクリーンにおいては、前記収容ケースは、前記開口を覆う蓋部を有するのが好ましい。
この構成によれば、開口を蓋部で覆うことでケース内に収容したスクリーン基材及び伸縮装置に異物が付着するのを防止できる。
【００１４】
また、上記スクリーンにおいては、前記第２の支持体は、前記スクリーン基材を巻き取る巻取機構を含むのが好ましい。
この構成によれば、スクリーン基材を巻き取ることができるので、スクリーン基材の収容スペースを小型化できる。
【図面の簡単な説明】
【００１５】
【図１】第１実施形態に係るスクリーンを裏面側から視た斜視図。
【図２】第１実施形態に係るスクリーンの断面構成を示す図。
【図３】（ａ）はスクリーン基材が最大限まで拡がった状態を示す図、（ｂ）はスクリーンが同図（ａ）の状態に比べて縮んだ状態を示す図、（ｃ）はスクリーンが同図（ｂ）の状態に比べて縮んだ状態を示す図。
【図４】第２実施形態に係るスクリーンを裏面側から視た構成を示す図。
【図５】（ａ）スクリーン基材が拡げられた状態を示す図、（ｂ）はスクリーン基材が同図（ａ）よりも縮んだ状態を示す図、（ｃ）はスクリーン基材が収容された状態を示す図。
【図６】変形例に係る保護カバーの構成を示し、（ａ）は変形例に係る保護カバーが拡がった状態を示す図、（ｂ）は変形例に係る保護カバーが同図（ａ）よりも縮んだ状態を示す図、（ｃ）は変形例に係る保護カバーが最大限まで縮んだ状態を示す図。
【発明を実施するための形態】
【００１６】
以下、図面を参照して、本発明の実施の形態について説明する。かかる実施の形態は、本発明の一態様を示すものであり、この発明を限定するものではなく、本発明の技術的思想の範囲内で任意に変更可能である。また、以下の図面においては、各構成をわかりやすくするために、実際の構造における縮尺や数等が異なっている。
【００１７】
（第１実施形態）
図１は、本実施形態に係るスクリーンを裏面側から視た斜視図であり、図２はスクリーンの断面構成を示す図である。スクリーンは持ち運び可能な折り畳み式スクリーンとして構成されるものである。
【００１８】
スクリーン１は、図１、２に示すように上側筐体部（第１の支持体）２と、スクリーン基材３と、下側筐体部（第２の支持体）４と、伸縮装置５と、巻取機構６と、保護カバー（カバー部材）７と、を備えている。
【００１９】
上側筐体部２は、上記伸縮装置５の伸縮方向における一端側（上側）を支持するためのものである。また、下側筐体部４は、上記伸縮装置５の伸縮方向における他端側（下側）を支持するためのものである。このような構成に基づき、伸縮装置５が伸縮することで上側筐体部２及び下側筐体部４間の距離を変化させることが可能となっている。
【００２０】
スクリーン基材３は可撓性を有し、伸縮装置５の伸縮方向を長手方向とする正面視略矩形のシート状に形成されるものであって、プロジェクター等から入射された画像光を反射して、当該画像光に応じた画像を表示する表示領域を形成するものである。このスクリーン基材３の正面３１（伸縮装置５に対向する側とは反対側の面）には、入射した画像光を反射する反射面が形成されている。スクリーン基材３の背面３２には、伸縮装置５が配置されている。スクリーン基材３の一端側（上側）は、上側筐体部２に支持されている。また、スクリーン基材３の他端側（下側）は、巻取機構６（後述の巻取ローラー６ａ）に支持されている。
【００２１】
伸縮装置５は、下側筐体部４に対する上側筐体部２の位置を調整する調整機構としてのパンタグラフリンク１０を備える。パンタグラフリンク１０は、下方及び上方に位置する下リンク１０１及び上リンク１０２が互いに回動自在に組み合わされることで構成される。具体的に、パンタグラフリンク１０は、それぞれ略同じ寸法を有する４本の棒状部材７１１，７１２，７２１，７２２を有する。
【００２２】
パンタグラフリンク１０は、下方及び上方に位置する下リンク１０１及び上リンク１０２が互いに回動自在に組み合わされることで構成されている。具体的に、パンタグラフリンク１０は、それぞれ略同じ寸法を有する４本の棒状部材７１１，７１２，７２１，７２２を有する。すなわち、パンタグラフリンク１０は、背面側から見た際に下方の左側及び右側に位置する一対の棒状部材７１１，７１２が略Ｘ字状に回動自在に組み合わされて構成される下リンク１０１と、上方の左側及び右側に位置する一対の棒状部材７２１，７２２が略逆Ｘ字状に回動自在に組み合わされて構成される上リンク１０２とが互いに回動自在に組み合わされて構成される。すなわち、棒状部材７１１，７１２は互いに回動自在に連結され、棒状部材７２２，７２２は互いに回動自在に連結される。また、棒状部材７１１，７２２は互いに回動自在に連結され、棒状部材７１２，７２１は互いに回動自在に連結されている。
【００２３】
そして、このパンタグラフリンク１０は、棒状部材７１１，７１２の連結部分７１０と、棒状部材７２１，７２２の連結部分７２０とを結ぶ対角線が、スクリーン基材３の伸長方向である上下方向に沿うように配置されている。
【００２４】
図３はパンタグラフリンク１０の動作を説明するための図である。
このようなパンタグラフリンク１０は、図３（ａ）〜（ｃ）に示すように、棒状部材７１１，７１２の挟角、及び、棒状部材７２１，７２２の挟角が小さくなり、また、棒状部材７１１，７２１の挟角、及び、棒状部材７１２，７２２の挟角が大きくなるように移動することで、上下方向に沿って伸長する。また、パンタグラフリンク１０は、棒状部材７１１，７１２の挟角、及び、棒状部材７２１，７２２の挟角が大きくなり、また、棒状部材７１１，７２１の挟角、及び、棒状部材７１２，７２２の挟角が小さくなるように移動することで、上下方向に沿って収縮する。
【００２５】
なお、図示を省略したが、各棒状部材７１１，７１２には、上側筐体部２或いは下側筐体部４のいずれかに一端が軸支されたガススプリング等の姿勢維持部材の他端が係合しており、当該姿勢維持部材により、パンタグラフリンク１０の姿勢（高さ位置）が維持されるようになっている。
【００２６】
棒状部材７２１は、上側筐体部２に対してガイドレール６３を介して取り付けられている。ガイドレール６３は、上側筐体部２の長手方向（スクリーン基材３の幅方向）に延出するように形成されている。具体的にガイドレール６３には、棒状部材７２１に設けられた接続部材７２１ａが係合している。一方、棒状部材７２２は、上側筐体部２に対して接続部材７２２ａを介して固定されている。そして、パンタグラフリンク１０の昇降に応じて、ガイドレール６３に沿って接続部材７２１ａが、当該上側筐体部２の中央に対して離間及び近接する方向に摺動することにより、棒状部材７２１，７２２がガイドレール６２に対して回動される。
【００２７】
また、棒状部材７１２は、下側筐体部４に対して一対のガイドレール６２を介して取り付けられている。ガイドレール６２は、下側筐体部４の長手方向（スクリーン基材３の幅方向）に延出するように形成されている。具体的にガイドレール６２には、棒状部材７１２に設けられた接続部材７１２ａが係合している。一方、棒状部材７１１は、下側筐体部４に対して接続部材７１１ａを介して固定されている。そして、パンタグラフリンク１０の昇降に応じて、ガイドレール６２に沿って接続部材７１２ａが、当該上側筐体部２の中央に対して離間及び近接する方向に摺動することにより、棒状部材７１１，７１２がガイドレール６２に対して回動される。
【００２８】
図２に示したように巻取機構６は、スクリーン基材３を巻き取ることでスクリーン１を折り畳み可能にするものである。具体的に巻取機構６は、スクリーン基材３を巻取可能な巻取ローラー６ａと、該巻取ローラー６ａを巻取方向或いは巻き解き方向に回転可能な駆動モーター６ｂとを備えている。スクリーン１は、このような巻取機構６を備えることでスクリーン基材３の収容スペースが小型化され、該スクリーン１自体の小型化を実現している。
【００２９】
保護カバー７は、スクリーン基材３との間で伸縮装置５のパンタグラフリンク１０の一部を覆うように上側筐体部２に取り付けられるものである。保護カバー７は、伸縮装置５の伸縮方向（上下方向）に延出した状態に形成されている。保護カバー７としては、スクリーン基材３とは異なり可撓性を有しない材料から構成されており、伸縮装置５の伸縮動作時においても折れ曲がらないようになっている。
【００３０】
以上の構成に基づき、本実施形態に係るスクリーン１は、伸縮装置５によって上側筐体部２が下側筐体部４から離間すると巻取ローラー６ａからスクリーン基材３が巻き解かれることで該スクリーン基材３が伸長されるようになっている。一方、スクリーン１は、伸縮装置５によって上側筐体部２が下側筐体部４に接近するとともに巻取ローラー６ａに巻き取られることで該スクリーン基材３が弛むことなく収容可能となっている。
【００３１】
続いて、スクリーン１の動作として、スクリーン基材３を折り畳む動作を説明することでスクリーン１の作用効果について説明する。スクリーン基材３を折り畳む際、上側筐体部２を下側筐体部４に近づけつつ、巻取機構６によってスクリーン基材３の他端側を巻き取る。上側筐体部２が下側筐体部４に近づくに従って、棒状部材７１１，７２１及び棒状部材７１２，７２２の挟角が小さくなる。
【００３２】
このとき、上側筐体部２に取り付けられた保護カバー７は、該上側筐体部２の移動に伴って下側筐体部４側に移動して伸縮装置５を順次覆っていく。具体的に、保護カバー７は、スクリーン基材３が所定の長さまで折り畳まれると、図３（ｂ）に示したように棒状部材７２１，７２２の連結部分７２０を覆うこととなる。
【００３３】
同様にスクリーン基材３を折り畳んでいくと、保護カバー７は上リンク１０２及び下リンク１０１の連結部７３０、及び棒状部材７１１，７１２の連結部分７１０を順次覆った状態となる。
【００３４】
ところで、伸縮装置５の縮小動作に伴い、上記連結部分７１０，７２０，７３０における挟角が小さくなるとゴミ等の異物を挟み込むことで動作不良や故障が生じるおそれがある。これに対して本実施形態によれば、スクリーン基材３の折り畳み動作時に連結部分７１０，７２０，７３０が保護カバー７によって覆われた状態となるので、連結部分７１０，７２０，７３０における異物の挟み込みを防止することができる。
【００３５】
保護カバー７は、伸縮装置５が最少位置まで縮んだ状態において下側筐体部４と当接する長さに設定されている。すなわち、保護カバー７は、伸縮装置５が縮んだ状態において上側筐体部２及び下側筐体部４の隙間を塞ぐ大きさに設定されており、これによりスクリーン基材３の折り畳み時に伸縮装置５にゴミ等の異物が付着するのを防止することができる。
【００３６】
一方、スクリーン基材３を折り畳んだ状態から広げる場合、すなわちパンタグラフリンク１０を伸長させる際には、上側筐体部２を上方に移動させる。このとき、パンタグラフリンク１０の伸長に応じて、ガイドレール６２、６３に沿って接続部材７１２ａ，７２１ａが、上側筐体部２及び下側筐体部４の中央に対して近接する方向に摺動することにより、棒状部材７１１，７１２，７２１，７２２がガイドレール６２、６３に対して回動される。このようにパンタグラフリンク１０を最大限に伸長させることで、正面視した際にスクリーン基材３が略矩形状をなすように展張することができる。
【００３７】
以上述べたように本実施形態に係るスクリーン１によれば、スクリーン基材３の伸縮動作時に伸縮装置５の可動部（連結部分７１０，７２０，７３０）を保護カバー７によって覆う構成を実現できるので、異物の挟み込みによる伸縮装置５の動作不良の発生を防止することができる。
【００３８】
また、伸縮装置５がパンタグラフリンク１０を有するので、スクリーン基材３を良好に伸縮可能な構成を実現することができる。
【００３９】
また、スクリーン基材３の一端側（上方端）が上側筐体部２に支持された構成となっているので、伸縮装置５により上側筐体部２を下側筐体部４に対して移動させることでスクリーン基材３を簡便且つ確実に収縮させることができる。
【００４０】
（第２実施形態）
続いて、第２実施形態に係るスクリーンの構成について説明する。本実施形態と第１実施形態との違いは、スクリーン基材及び伸縮装置を収容するケースを備える点であり、それ以外の構成は第１実施形態と同様である。以下の説明では、上記実施形態と同一の部材及び構成については同じ符号を付し、その説明については省略若しくは簡略化するものとする。
【００４１】
図４は本実施形態に係るスクリーンを裏面側から視た構成を示す図であり、図５はスクリーンの動作を示す断面図である。図４に示すように、本実施形態に係るスクリーン１００は、上側筐体部２と、スクリーン基材３と、下側筐体部４と、伸縮装置５（図１参照）と、巻取機構６と、保護カバー７と、収容ケース８と、を備えている。
【００４２】
収容ケース８は、下側筐体部４及び巻取機構６を収容するケース本体９と、該ケース本体９に設けられた開口９ａを閉塞するための蓋部９ｂと、を備えている。ケース本体９は、スクリーン基材３の折り畳み時にスクリーン１の外形を構成するものであり、板金部材等のように所定強度を有した部材から構成されるものである。開口９ａは、折り畳まれたスクリーン基材３及びパンタグラフリンク１０をケース本体９内に収容するためのものである。
【００４３】
なお、蓋部９ｂは図５（ａ）に示すようにスクリーン基材３が展張された際、ケース本体９とともに伸縮装置５を覆うことで本発明のカバー部材としての機能を発揮している。また、蓋部９ｂは開いた状態で垂直方向に立ち上がるようにして配置されるため、ケース本体９に形成された開口端と略面一となるように構成されている。なお、本実施形態においては、スクリーン基材３は、展張された状態においてケース本体９から露出する部分が画像表示可能領域となる。
【００４４】
保護カバー７は、伸縮装置５が縮んだ際に、図５(ｃ)に示すように、上記開口９ａを介して内部に収容されるようになっている。これにより、保護カバー７の先端が開口９ａの開口端に重なる位置まで伸縮装置５が縮むことで該伸縮装置５の裏面側は収容ケース８及び保護カバー７によって覆われた状態となる。
【００４５】
また、図５に示すように開口９ａは伸縮装置５側の開口端を当該伸縮装置５に近づけた絞り構造を有している。具体的に本実施形態では、蓋部９ｂが開口９ａの開口端と面一となっており、伸縮装置５側に取り付けられた蓋部９ｂと伸縮装置５との隙間が狭められている。
【００４６】
この構成に基づき、伸縮装置５及び開口９ａの開口端間に生じる隙間を小さくしている。よって、伸縮装置５と開口９ａ（蓋部９ｂ）との隙間から伸縮装置５の可動部（連結部分７１０，７２０，７３０）にゴミ等の異物が入り込むリスクを低減することができる。
【００４７】
続いて、スクリーン１００の動作として、図５（ａ）〜（ｃ）を参照しつつ、スクリーン基材３を折り畳む動作を説明することでスクリーン１の作用効果について説明する。スクリーン基材３を折り畳む際、図５（ｂ）に示すように上側筐体部２を下側筐体部４に近づけつつ、巻取機構６によってスクリーン基材３の他端側を巻き取る。これにより、上側筐体部２に取り付けられた保護カバー７は棒状部材７１１，７１２の連結部分７１０を覆うことができる。
【００４８】
本実施形態では、図５（ａ）に示したように蓋部９ｂが開いた状態において垂直方向に沿って配置されたものとなっているので、蓋部９ｂが伸縮装置５を覆った状態となる。よって、伸縮装置５の伸縮動作の際に蓋部９ｂが伸縮装置５の下端側における可動部（連結部分７１０）を覆うことで連結部分７１０への異物の挟み込みを防止することができる。
【００４９】
図５（ｃ）に示すように伸縮装置５を最少位置まで縮めることで該伸縮装置５及びスクリーン基材３が開口９ａを介してケース本体９内に収容される。そして、蓋部９ｂを閉めて開口９ａを閉塞することで伸縮装置５及びスクリーン基材３への異物の付着を防止するとともにスクリーン１００を持ち運び性に優れた形態へと変化させることができる。
【００５０】
一方、スクリーン基材３を折り畳んだ状態から広げる場合、すなわちパンタグラフリンク１０を伸長させる際には、まず蓋部９ｂを開いて上側筐体部２を開口９ａ内から上方へと引き出す。このとき、パンタグラフリンク１０の伸長に応じて、ガイドレール６２、６３に沿って接続部材７１２ａ，７２１ａが、上側筐体部２及び下側筐体部４の中央に対して近接する方向に摺動することにより、スクリーン基材３を順次展張することができる。
【００５１】
以上のように、本実施形態によれば、スクリーン基材３が折り畳まれる際、スクリーン基材３の上面側からは保護カバー７が伸縮装置５を覆い、且つスクリーン基材３の下面側からは蓋部９ｂが伸縮装置５を覆う構成を実現できる。よって、第１実施形態に比べて伸縮装置５を覆う面積が広がるため、伸縮装置５の可動部における異物の挟み込みが発生するリスクを低減することができる。
【００５２】
また、本実施形態では、スクリーン基材３及び伸縮装置５を収容ケース８内に収容できるので、スクリーン基材３及び伸縮装置５にゴミ等の異物が付着するのを防止することができる。
また、収容ケース８は蓋部９ｂによって内部空間が閉塞されるので、上述したスクリーン基材３及び伸縮装置５への異物の付着をより確実に防止できる。
【００５３】
（変形例）
本発明は、上記実施形態に限定されるものではなく、発明の趣旨を逸脱しない範囲内において種々の変形、改良が可能である。例えば、上記実施形態では、保護カバー７として１つの部材から構成されたものを例に挙げたが保護カバー７が複数の部材から構成されていても良い。
【００５４】
図６は変形例に係る保護カバーの構成を示す図である。
具体的には、図６に示すように３つの板部材７ａ〜７ｃを組み合わせることで保護カバー７を折り畳み可能な構成としても良い。この構成においては、保護カバー７は、スクリーン基材３が広がった状態では図６（ａ）に示すように全ての板部材７ａ〜７ｃが開いた状態とされている。また、保護カバー７は、スクリーン基材３が折り畳まれることで最も下側の板部材７ｃが下側筐体部４に当接した後に伸縮装置５が縮小動作に伴って、板部材７ｃ側から順次折り畳むように動作し、図６（ｂ）に示すように板部材７ｃが板部材７ｂに重なった状態となる。そして、伸縮装置５が最大限まで縮んだ状態において、図６（ｃ）に示すように３つの板部材７ａ〜７ｃが平面的に重なるようになっている。
【００５５】
このように保護カバー７が複数の板部材７ａ〜７ｃで構成されるため、保護カバー７を大型化することができる。よって、伸縮装置５の裏面側をより広い範囲で覆うことができ、異物が侵入するリスクをより低減させることができる。
【００５６】
また、上記実施形態では、パンタグラフリンク１０の構成として４本の棒状部材７１１，７１２，７２１，７２２を有する場合を例に挙げたが、６本、８本、１０本等といったようにより多くの棒状部材を組み合わせた場合についても本発明は適用可能である。
【００５７】
また、上記実施形態では、スクリーン１は持ち運び可能なスクリーンとして構成されるとしたが、本発明はこれに限らない。例えば、天井等に設置され、当該天井から下方にスクリーン基材を引き出して利用するスクリーンに、本発明を適用することも可能である。
また、上記実施形態では、伸縮装置５の上側を支持する上側筐体部２側に保護カバー７を取り付ける場合を例としたが、下側筐体部４側に保護カバー７を取り付けた構成であっても構わない。
また、スクリーン基材の引出方向は、上方及び下方に限らず、側方でもよい。すなわち、当該引出方向は問わない。
【符号の説明】
【００５８】
１…スクリーン、２…上側筐体部、３…スクリーン基材、４…下側筐体部、５…伸縮装置、６…巻取機構、７…保護カバー、８…収容ケース、９ａ…開口、９ｂ…蓋部、１０…パンタグラフリンク
【図１】
2013083746.tif 000003
【図２】
2013083746.tif 000004
【図３】
2013083746.tif 000005
【図４】
2013083746.tif 000006
【図５】
2013083746.tif 000007
【図６】
2013083746.tif 000008